(57)【要約】【課題】患者の意思を反映して適切な薬を選定する。【解決手段】本発明の情報処理装置は、第１の取得部と薬情報記憶部と選択部とを備える。第１の取得部は、ユーザの症状を特定可能な症状特定情報と、薬に関する複数の条件のうちユーザによって選択された条件を示す条件情報と、を取得する。薬情報記憶部は、複数の薬を記憶する。選択部は、症状特定情報と条件情報とに基づいて、薬情報記憶部に記憶された薬の中から、ユーザへ推奨する薬を示す推奨薬を選択する。【選択図】図９
2017220012.tif 000002
【特許請求の範囲】
【請求項１】
ユーザの症状を特定可能な症状特定情報と、薬に関する複数の条件のうち前記ユーザによって選択された前記条件を示す条件情報と、を取得する第１の取得部と、
複数の薬を記憶する薬情報記憶部と、
前記症状特定情報と前記条件情報とに基づいて、前記薬情報記憶部に記憶された薬の中から、前記ユーザへ推奨する薬を示す推奨薬を選択する選択部と、を備える、
情報処理装置。
【請求項２】
前記第１の取得部は、
複数の症状の中から１以上の症状を前記ユーザに選択させ、かつ、薬に関する複数の前記条件の中から１以上の前記条件を前記ユーザに選択させるためのアンケート画面に対する入力結果を、前記症状特定情報および前記条件情報として取得する、
請求項１に記載の情報処理装置。
【請求項３】
前記ユーザを識別するユーザ識別情報と、前記ユーザが購入した薬を示す購入済み薬情報との組を取得する第２の取得部と、
前記ユーザの生体情報を取得する第３の取得部と、
前記第２の取得部により前記組が取得された後、前記第３の取得部により取得された前記生体情報に基づいて、前記ユーザの健康状態が回復したか否かを判断する健康状態判断部と、
前記健康状態判断部により前記ユーザの健康状態が回復したと判断された場合、薬の効き目の度合い、および、副作用の各々について、複数の候補の中から前記ユーザに選択させるための制御を行う選択制御部と、
前記ユーザ識別情報と、前記選択制御部の制御による選択結果と、前記購入済み薬情報と、前記生体情報の履歴と、を対応付けた第１の対応情報を記憶する第１の対応情報記憶部と、をさらに備える、
請求項１または２に記載の情報処理装置。
【請求項４】
前記選択部は、前記第１の対応情報に基づいて、選択した１以上の前記推奨薬のうち所定条件を満たさない前記推奨薬を除外する、
請求項３に記載の情報処理装置。
【請求項５】
前記選択部は、前記推奨薬に対応する前記購入済み薬情報に対応付けられた前記選択結果および前記生体情報の履歴に基づいて、前記推奨薬が前記所定条件を満たすか否かを判断する、
請求項４に記載の情報処理装置。
【請求項６】
前記所定条件は、前記選択結果として、薬の効き目の度合いが基準以上の候補が選択され、かつ、前記生体情報の履歴から得られる前記生体情報の経時的変化を表すデータと、前記購入済み薬情報が示す薬に対応して予め定められた前記生体情報の経時的変化を表すデータと、の差が所定範囲内であることである、
請求項５に記載の情報処理装置。
【請求項７】
前記ユーザを識別するユーザ識別情報と、前記ユーザが購入した薬を示す購入済み薬情報とを対応付けた第２の対応情報を記憶する第２の対応情報記憶部をさらに備え、
前記選択部は、
前記薬情報記憶部に記憶された薬のうち、前記症状特定情報により特定される症状に対応する複数の薬の各々を前記推奨薬として選択し、前記症状特定情報により特定される症状に対応する前記購入済み薬情報、および、前記条件情報に基づいて、該選択した複数の前記推奨薬の各々の優先順位を決定する、
請求項１または２に記載の情報処理装置。
【請求項８】
前記選択部は、
前記推奨薬の優先順位を決定する場合、前記症状特定情報により特定される症状に対応する前記購入済み薬情報、および、前記条件情報のうち、前記条件情報の重みを高めて前記推奨薬の優先順位を決定する、
請求項７に記載の情報処理装置。
【請求項９】
前記ユーザを識別するユーザ識別情報と、前記ユーザが購入した薬を示す購入済み薬情報との組を取得する第２の取得部と、
前記ユーザの生体情報を取得する第３の取得部と、
前記第２の取得部により前記組が取得された後、前記第３の取得部により取得された前記生体情報に基づいて、前記ユーザが薬を服用したか否かを判断する服用判断部と、
前記服用判断部により、前記ユーザが薬を服用したと判断された後に、薬の効き目の度合い、および、副作用の各々を、複数の候補の中から前記ユーザに選択させるための制御を行う選択制御部と、
前記選択制御部の制御による選択結果に応じて、前記購入済み薬情報を変更する薬情報変更部と、
前記薬情報変更部により変更された後の前記購入済み薬情報を示す変更薬情報と、前記ユーザ識別情報とを対応付けた第３の対応情報を記憶する第３の対応情報記憶部と、をさらに備える、
請求項１または２に記載の情報処理装置。
【請求項１０】
前記選択部は、前記症状特定情報と前記条件情報とに基づいて、前記薬情報記憶部に記憶された薬、および、前記第３の対応情報記憶部に記憶された前記変更薬情報が示す薬の中から、前記推奨薬を選択する、
請求項９に記載の情報処理装置。
【請求項１１】
前記選択部は、前記症状特定情報により特定される症状に対応する薬として、前記薬情報記憶部に記憶された薬と、前記第３の対応情報記憶部に記憶された前記変更薬情報が示す薬とが一致する場合は、前記変更薬情報が示す薬を選択する、
請求項１０に記載の情報処理装置。
【請求項１２】
ユーザの症状を特定可能な症状特定情報と、薬に関する複数の条件のうち前記ユーザによって選択された前記条件を示す条件情報と、を取得する第１の取得ステップと、
前記症状特定情報と前記条件情報とに基づいて、複数の薬を記憶する薬情報記憶部に記憶された薬の中から、前記ユーザへ推奨する薬を示す推奨薬を選択する選択ステップと、を含む、
情報処理方法。
【請求項１３】
コンピュータに、
ユーザの症状を特定可能な症状特定情報と、薬に関する複数の条件のうち前記ユーザによって選択された前記条件を示す条件情報と、を取得する第１の取得ステップと、
前記症状特定情報と前記条件情報とに基づいて、複数の薬を記憶する薬情報記憶部に記憶された薬の中から、前記ユーザへ推奨する薬を示す推奨薬を選択する選択ステップと、を実行させるためのプログラム。
【請求項１４】
ユーザが使用する端末と、情報処理装置とを備えた情報処理システムであって、
前記端末は、
ユーザの症状を特定可能な症状特定情報と、薬に関する複数の条件のうち前記ユーザによって選択された前記条件を示す条件情報と、を前記情報処理装置へ送信する情報送信部と、
前記情報処理装置から、前記ユーザへ推奨する薬を示す推奨薬を特定可能な推奨薬情報を受信する推奨薬情報受信部と、
前記推奨薬情報受信部により受信された前記推奨薬情報を表示する制御を行う表示制御部と、を備え、
前記情報処理装置は、
前記端末から、前記症状特定情報と前記条件情報とを取得する第１の取得部と、
複数の薬を記憶する薬情報記憶部と、
前記症状特定情報と前記条件情報とに基づいて、前記薬情報記憶部に記憶された薬の中から、前記推奨薬を選択する選択部と、
前記選択部により選択された前記推奨薬を特定可能な推奨薬情報を前記端末へ送信する推奨薬情報送信部と、を備える、
情報処理システム。
【発明の詳細な説明】
【技術分野】
【０００１】
本発明は、情報処理装置、情報処理方法、プログラムおよび情報処理システムに関する。
【背景技術】
【０００２】
従来、患者が過去に服用した薬の履歴から、該患者に対して適切な薬を選定する技術が知られている（例えば特許文献１参照）。
【発明の概要】
【発明が解決しようとする課題】
【０００３】
しかし、従来技術では、患者の意思とは無関係に薬が選定されるので、患者の意思を反映して適切な薬を選定する仕組みは存在しなかった。
【課題を解決するための手段】
【０００４】
上述した課題を解決するために、本発明は、ユーザの症状を特定可能な症状特定情報と、薬に関する複数の条件のうち前記ユーザによって選択された前記条件を示す条件情報と、を取得する第１の取得部と、複数の薬を記憶する薬情報記憶部と、前記症状特定情報と前記条件情報とに基づいて、前記薬情報記憶部に記憶された薬の中から、前記ユーザへ推奨する薬を示す推奨薬を選択する選択部と、を備える。
【発明の効果】
【０００５】
本発明によれば、患者の意思を反映して適切な薬を選定できるという効果を奏する。
【図面の簡単な説明】
【０００６】
【図１】図１は、情報処理システムの構成の一例を示す図である。
【図２】図２は、ウェアラブルデバイスのハードウェア構成の一例を示す図である。
【図３】図３は、ウェアラブルデバイスが有する機能の一例を示す図である。
【図４】図４は、スマートデバイスのハードウェア構成の一例を示す図である。
【図５】図５は、スマートデバイスが有する機能の一例を示す図である。
【図６】図６は、レジスターのハードウェア構成の一例を示す図である。
【図７】図７は、レジスターが有する機能の一例を示す図である。
【図８】図８は、サービス提供サーバのハードウェア構成の一例を示す図である。
【図９】図９は、サービス提供サーバが有する機能の一例を示す図である。
【図１０】図１０は、アンケート画面の一例を示す図である。
【図１１】図１１は、薬情報の一例を示す図である。
【図１２】図１２は、「服用時の体温変化」という項目に対応付けられるデータの一例を示す図である。
【図１３】図１３は、「服用時の脈拍変化」という項目に対応付けられるデータの一例を示す図である。
【図１４】図１４は、境界値の決定方法を説明するための図である。
【図１５】図１５は、アンケート画面の一例を示す図である。
【図１６】図１６は、ユーザの測定データと製薬会社提供データとの差異が所定範囲内であるか否かを判断する方法の一例を説明するための図である。
【図１７】図１７は、第１の実施形態の推奨薬の選択手順の一例を示す図である。
【図１８】図１８は、サービス提供サーバの動作例を示すフローチャートである。
【図１９】図１９は、第２の実施形態のスマートデバイスが有する機能の一例を示す図である。
【図２０】図２０は、第２の実施形態のサービス提供サーバが有する機能の一例を示す図である。
【図２１】図２１は、第２の実施形態の推奨薬の選択手順の一例を示す図である。
【図２２】図２２は、選択された推奨薬の一例を示す図である。
【図２３】図２３は、推奨薬の優先順位の一例を示す図である。
【図２４】図２４は、第１のアンケート画面の一例を示す図である。
【図２５】図２５は、第２のアンケート画面の一例を示す図である。
【図２６】図２６は、第４の実施形態のサービス提供サーバが有する機能の一例を示す図である。
【図２７】図２７は、「実際の体温の変化」に対応するデータ、「服用時の体温変化」に対応するデータ、および、「薬を服用していないときの体温の変化」に対応するデータの一例を示す図である。
【図２８】図２８は、アンケート画面の一例を示す図である。
【図２９】図２９は、購入済み薬情報の変更方法を説明するための図である。
【図３０】図３０は、アンケート画面の一例を示す図である。
【発明を実施するための形態】
【０００７】
以下に添付図面を参照しながら、本発明に係る情報処理装置、情報処理方法、プログラムおよび情報処理システムの具体的な実施形態について詳しく説明する。
【０００８】
（第１の実施形態）
図１は、本実施形態の情報処理システム２００の構成の一例を示す図である。図１に示すように、情報処理システム２００は、ウェアラブルデバイス１、スマートデバイス２、レジスター３、サービス提供サーバ４を備える。
【０００９】
ウェアラブルデバイス１は、ユーザ（患者）に装着され、かつ、ユーザの生体情報を測定するためのデバイスである。この例では、生体情報は、体温を示す情報、血圧を示す情報、脈拍を示す情報、および、体内水分量を示す情報を含むが、これらの情報のうちの何れかが含まれない形態であってもよい。要するに、生体情報は、体温を示す情報、血圧を示す情報、脈拍を示す情報、および、体内水分量を示す情報のうちの少なくとも１つを含む情報であればよい。ウェアラブルデバイス１は、定期的に生体情報を測定し、その測定した生体情報をスマートデバイス２へ送信する。
【００１０】
スマートデバイス２は、「端末」の一例であり、ウェアラブルデバイス１から受信する生体情報を、携帯電話回線５およびインターネット６を介して、サービス提供サーバ４へ送信する。また、スマートデバイス２は、Ｗｅｂブラウザを利用してサービス提供サーバ４へアクセスして、各種データの登録、保管や画面データの受信、表示を行う。
【００１１】
レジスター３は、医師の処方箋を必要としない薬を販売するドラッグストアの店舗内の会計コーナーに設置され、ユーザが所有するポイントカード（磁気カード）から、ユーザを識別するユーザ識別情報（顧客ＩＤ）やポイント数を読み取り、購入金額に応じたポイント数をポイントカードに記録する。また、レジスター３は、商品に印刷されたバーコードを読み取るバーコードリーダーを備え、読み取ったバーコードから、商品名等の商品情報を取得する。レジスター３は、これらの顧客ＩＤや商品情報を、インターネット６を介してサービス提供サーバ４へ送信する。
【００１２】
サービス提供サーバ４は、「情報処理装置」の一例であり、スマートデバイス２から受信する生体情報やレジスター３から受信する商品情報を顧客ＩＤに対応付けて記憶し、これらの情報から各ユーザに合った薬の選定を行う。具体的な内容については後述する。なお、図１に示す携帯電話回線５は移動体通信事業者が保有する回線であり、音声通信サービスやパケットデータ通信サービスが提供されている。
【００１３】
図２は、ウェアラブルデバイス１のハードウェア構成の一例を示す図である。図２に示すように、ウェアラブルデバイス１は、ＣＰＵ（Central  Processing  Unit）１０、フラッシュＲＯＭ１１、ＲＡＭ（Random  Access  Memory）１２、無線通信モジュール１３、アンテナ１４、ＬＣＤ１５、タッチパネル１６、外部Ｉ／Ｆ１７、センサモジュール１８を備え、これらはバス１９に接続され、相互にデータのやり取りが可能である。また、ウェアラブルデバイス１は、上記各デバイスへ電力を供給するためのバッテリ２０を備えている。
【００１４】
ＣＰＵ１０は、フラッシュＲＯＭ１１に記憶されたプログラムに従って、各種データの演算処理などによりウェアラブルデバイス１全体を制御する。フラッシュＲＯＭ１１は、ウェアラブルデバイス１全体を制御するプログラムを記憶するとともに、各種データを記憶するストレージとしても機能する。
【００１５】
ＲＡＭ１２は、ＣＰＵ１０のワークメモリとして使用される。フラッシュＲＯＭ１１に記憶されたプログラムはＲＡＭ１２に読み込まれて、ＣＰＵ１０により実行される。無線通信モジュール１３は、スマートデバイス２と通信するためのデバイスであり、ＢＬＥ（Bluetooth（登録商標）  Low  Energy）に従った通信を行う。ＬＣＤ１５は、ウェアラブルデバイス１に関する各種の情報を表示するデバイスであり、ウェアラブルデバイス１を操作するためのアイコンや、各種のデータを表示する。
【００１６】
タッチパネル１６は、ユーザのタッチ操作を受け付けるためのデバイスであり、ＬＣＤ１５に重ね合わせて密着しており、指が接触した位置を検出する。外部Ｉ／Ｆ１７は、例えばＵＳＢインタフェースであり、外部機器を接続するためのインタフェースである。センサモジュール１８は、生体情報を検出するためのモジュールである。例えばセンサモジュール１８は、ユーザの体温を検出する体温センサ、脈拍を検出する脈波センサ、血圧を検出する血圧センサ等を含む。センサモジュール１８は、これらのセンサからの出力信号をＡ(Analog)／Ｄ（Digital）変換し、バス１９を介してＣＰＵ１０へ転送する。
【００１７】
図３は、ウェアラブルデバイス１が有する機能の一例を示す図である。図３に示すように、ウェアラブルデバイス１は、生体情報測定部１１１と、生体情報送信部１１２とを有する。説明の便宜上、図３の例では、本実施形態に関する機能を主に例示しているが、ウェアラブルデバイス１が有する機能は、これらに限られるものではない。
【００１８】
生体情報測定部１１１は、センサモジュール１８を利用して、ユーザの生体情報を測定（一定の周期で測定）する。生体情報送信部１１２は、無線通信モジュール１３を利用して、生体情報測定部１１１により測定された生体情報をスマートデバイス２へ送信する。
【００１９】
以上に説明したウェアラブルデバイス１が有する機能は、ＣＰＵ１０がフラッシュＲＯＭ１１に記憶されたプログラムを実行することにより実現される。
【００２０】
図４は、スマートデバイス２のハードウェア構成の一例を示す図である。ここでは、スマートデバイス２は、スマートフォンやタブレットＰＣなどの携帯情報端末を想定している。図４に示すように、スマートデバイス２は、ＣＰＵ３０、フラッシュＲＯＭ３１、ＲＡＭ３２、無線通信モジュール３３、アンテナ３４、ＬＣＤ３５、タッチパネル３６、外部Ｉ／Ｆ３７、マイク３８、スピーカー３９、カメラ４０を備えている。これらはバス４１に接続され、相互にデータのやり取りが可能である。また、スマートデバイス２は、上記各デバイスへ電力を供給するためのバッテリ４２を備えている。
【００２１】
ＣＰＵ３０は、フラッシュＲＯＭ３１に記憶されたプログラムに従って、各種データの演算処理などによりスマートデバイス２全体を制御する。フラッシュＲＯＭ３１は、スマートデバイス２全体を制御するプログラムを記憶するとともに各種データを記憶するストレージとしても機能する。ＲＡＭ３２は、ＣＰＵ３０のワークメモリとして使用される。フラッシュＲＯＭ３１に記憶されたプログラムはＲＡＭ３２に読み込まれて、ＣＰＵ３０により実行される。
【００２２】
無線通信モジュール３３は、ウェアラブルデバイス１やサービス提供サーバ４と通信するためのデバイスである。無線通信モジュール３３は、携帯電話回線５を利用した音声通信やデータ通信を制御する。また、無線通信モジュール３３は、無線ＬＡＮやＢＬＥの通信制御も行う。
【００２３】
ＬＣＤ３５は、スマートデバイス２に関する各種の情報を表示するデバイスであり、スマートデバイス２を操作するためのアイコンや、各種のデータを表示する。タッチパネル３６は、ユーザのタッチ操作を受け付けるためのデバイスであり、ＬＣＤ３５に重ね合わせて密着しており、指が接触した位置を検出する。外部Ｉ／Ｆ３７は、例えばＵＳＢインタフェースであり、外部機器を接続するためのインタフェースである。マイク３８は、入力された音声信号をＡ／Ｄ変換する。スピーカー３９は、音データをＤ／Ａ変換して可聴信号を出力する。カメラ４０は撮像素子から出力された画像信号をＡ／Ｄ変換する。
【００２４】
図５は、スマートデバイス２が有する機能の一例を示す図である。図５に示すように、スマートデバイス２は、表示制御部１２１、生体情報受信部１２２、情報送信部１２３、推奨薬情報受信部１２４、データ記憶部１２５を有する。説明の便宜上、図５の例では、本実施形態に関する機能のみを例示しているが、スマートデバイス２が有する機能は、これらに限られるものではない。
【００２５】
表示制御部１２１は、各種の画面を表示する制御を行う。表示制御部１２１は、後述の推奨薬情報をＬＣＤ３５に表示する制御を行う。表示制御部１２１は、サービス提供サーバ４から画面データを取得して表示する機能を有し、この機能は、Ｗｅｂブラウザにより提供される。この例では、表示制御部１２１は、複数の症状の中から１以上の症状をユーザに選択させ、かつ、薬に関する複数の条件の中から１以上の条件をユーザに選択させるためのアンケート画面をサービス提供サーバ４から取得して表示する機能を有している。アンケート画面の具体例については後述する。
【００２６】
生体情報受信部１２２は、ウェアラブルデバイス１から生体情報を受信する。情報送信部１２３は、各種の情報をサービス提供サーバ４へ送信する。例えば情報送信部１２３は、ユーザの症状を特定可能な症状特定情報と、薬に関する複数の条件のうちユーザによって選択された条件を示す条件情報と、をサービス提供サーバ４へ送信する。この例では、情報送信部１２３は、上述のアンケート画面に対する入力結果を、症状特定情報および条件情報としてサービス提供サーバ４へ送信する。また、例えば情報送信部１２３は、生体情報受信部１２２により生体情報が受信されるたびに、その受信された生体情報と、ユーザ識別情報（顧客ＩＤ）とを紐付けた情報（以下の説明では「生体紐付情報」と称する場合がある）をサービス提供サーバ４へ送信する。つまり、情報送信部１２３は、定期的に、上述の生体紐付情報をサービス提供サーバ４へ送信する。
【００２７】
推奨薬情報受信部１２４は、サービス提供サーバ４から、ユーザへ推奨する薬を示す推奨薬を特定可能な推奨薬情報を受信する。サービス提供サーバ４による推奨薬の選定方法については後述する。データ記憶部１２５は、ドラッグストアから郵便で通知されたユーザページ（後述）や顧客ＩＤ（後述）をユーザの登録操作により記憶する。
【００２８】
以上に説明したスマートデバイス２が有する機能は、ＣＰＵ３０がフラッシュＲＯＭ３１に記憶されたプログラムを実行することにより実現される。
【００２９】
図６は、レジスター３のハードウェア構成の一例を示す図である。図６に示すように、レジスター３は、ＣＰＵ５０、フラッシュＲＯＭ５１、ＲＡＭ５２、ネットワークモジュール５３、ネットワークＩ／Ｆ５４、ＬＣＤ５５、キー入力部５６、プリンター５７、磁気カードリーダー／ライター５８、バーコードリーダー５９を備えている。これらはバス６０に接続され、相互にデータのやり取りが可能である。
【００３０】
ＣＰＵ５０は、フラッシュＲＯＭ５１に記憶されたプログラムに従って、各種データの演算処理などにより、レジスター３全体を制御する。フラッシュＲＯＭ５１は、レジスター３全体を制御するプログラムを記憶するとともに、各種データを記憶するストレージとしても機能する。
【００３１】
ＲＡＭ５２は、ＣＰＵ５０のワークメモリとして使用される。フラッシュＲＯＭ５１に記憶されたプログラムはＲＡＭ５２に読み込まれて、ＣＰＵ５０により実行される。ネットワークモジュール５３は、サービス提供サーバ４と通信するためのデバイスであり、ＩＥＥＥ８０２．３のイーサネット（登録商標）通信を制御する。ＬＣＤ５５は、レジスター３に関する各種の情報を表示するデバイスであり、会計金額等のデータを表示する。キー入力部５６は、テンキー等のキーを備え、押されたキーを検知する。プリンター５７は、レシートに会計金額を印字する。磁気カードリーダー／ライター５８は、ユーザが所有するポイントカード（磁気カード）からユーザ識別情報（顧客ＩＤ）やポイント数を読み取り、購入金額に応じたポイント数をポイントカードに記録する。バーコードリーダー５９は商品に印刷されたバーコードを読み取り、読み取ったバーコードから商品名等の商品情報を取得する。
【００３２】
図７は、レジスター３が有する機能の一例を示す図である。図７に示すように、レジスター３は、読取部１３１と、読取情報送信部１３２とを有する。読取部１３１は、磁気カードリーダー／ライター５８およびバーコードリーダー５９を利用して、顧客ＩＤや商品情報を読み取る。以下の説明では、読取部１３１により読み取られた情報を「読取情報（または商品読取情報）」と称する場合がある。この読取情報は、少なくとも顧客ＩＤと商品情報とを含む。この例では、商品情報は後述の薬情報に対応する（同内容の）情報である。要するに、読取情報は、顧客ＩＤと、該顧客ＩＤで識別されるユーザが購入した薬（購入済みの薬）を示す情報（購入済み薬情報）との組を含む形態であればよい。読取情報送信部１３２は、読取部１３１により読み取られた読取情報をサービス提供サーバ４へ送信する。
【００３３】
以上に説明したレジスター３が有する機能は、ＣＰＵ５０がフラッシュＲＯＭ５１に記憶されたプログラムを実行することにより実現される。
【００３４】
図８は、サービス提供サーバ４のハードウェア構成の一例を示す図である。説明の便宜上、図８の例では、最低限のハードェア要素を例示しているが、サービス提供サーバ４が備えるハードウェア要素はこれらに限られるものではない。図８に示すように、サービス提供サーバ４は、ＣＰＵ４０１、ＲＯＭ４０２、ＲＡＭ４０３、通信モジュール４０４、ＨＤＤ４０５を備えている。これらはバス４０６に接続され、相互にデータのやり取りが可能である。
【００３５】
図９は、サービス提供サーバ４が有する機能の一例を示す図である。図９に示すように、サービス提供サーバ４は、登録制御部４１１、ユーザ情報記憶部４１２、認証部４１３、第１の取得部４１４、薬情報記憶部４１５、選択部４１６、第２の取得部４１７、第３の取得部４１８、健康状態判断部４１９、選択制御部４２０、推奨薬情報送信部４２１を有する。説明の便宜上、図９の例では、本実施形態に関する機能のみを例示しているが、サービス提供サーバ４が有する機能は、これらに限られるものではない。
【００３６】
登録制御部４１１は、スマートデバイス２から、ユーザの氏名、住所、メールアドレス等のユーザに関する情報（ユーザ情報）の入力を受け付けると、そのユーザに固有な顧客ＩＤ（ユーザを識別するユーザ識別情報の一例）を生成し、生成した顧客ＩＤと、入力されたユーザ情報とを紐付けてユーザ情報記憶部４１２に登録する。この例では、サービス提供サーバ４が設置されるドラッグストアの店員は、登録制御部４１１により生成された顧客ＩＤが記憶されたポイントカード（磁気カード）を、ユーザの住所宛てに郵送する。このとき、ユーザごとに用意される専用のホームページ（ユーザページと称する）のＵＲＬと顧客ＩＤを印刷した紙を同封し、ユーザに知らせることができる。ユーザは、この郵便を受け取ると、ユーザページのＵＲＬと顧客ＩＤをスマートデバイス２に登録する。なお、これに限らず、例えばサービス提供サーバ４から、ポイントカードの機能を提供するためのアプリケーションをスマートデバイス２にダウンロードさせるとともに、専用のホームページのＵＲＬと顧客ＩＤをスマートデバイス２に通知してスマートデバイス２に記憶させる形態であってもよい。
【００３７】
認証部４１３は、サービス提供サーバ４にアクセスしてきたユーザ（スマートデバイス２）を認証する。例えば認証部４１３は、何れかのスマートデバイス２のアクセスを受け付けると、顧客ＩＤの入力を促す認証画面を該スマートデバイス２に表示させる制御を行い、認証画面から入力された顧客ＩＤが、ユーザ情報記憶部４１２に記憶された何れかの顧客ＩＤと一致する場合は、該スマートデバイス２（ユーザ）を認証することができる。この例では、認証部４１３によりユーザが認証されると、該ユーザのスマートデバイス２に対して、後述のアンケート画面が送信されることになる。
【００３８】
第１の取得部４１４は、ユーザの症状を特定可能な症状特定情報と、薬に関する複数の条件のうちユーザによって選択された条件を示す条件情報と、を取得する。より具体的には、第１の取得部４１４は、複数の症状の中から１以上の症状をユーザに選択させ、かつ、薬に関する複数の条件の中から１以上の条件をユーザに選択させるためのアンケート画面に対する入力結果を、症状特定情報および条件情報として取得する。ここでは、後述の健康状態判断部４１９によりユーザの健康状態が回復したと判断される前において認証部４１３によりユーザが認証された場合、第１の取得部４１４は、上記アンケート画面を生成し、該認証されたユーザが利用するスマートデバイス２へ送信する。そして、第１の取得部４１４は、スマートデバイス２から、上記アンケート画面に対する入力結果を受信し、認証済みのユーザを識別する顧客ＩＤに対して、上記アンケート画面に対する入力結果を対応付けてユーザ情報記憶部４１２に記憶することができる。この例では、薬に関する条件の選択結果を、次回のアンケート画面に反映させることができる。
【００３９】
図１０は、このときのアンケート画面の一例を示す図である。図１０の例では、複数の症状として、「頭痛」「腹痛」「風邪・熱」「風邪・のど」「風邪・頭」「風邪・鼻」「下痢」「便秘」の８つが用意されているが、症状の種類および数はこれに限られるものではない。また、図１０の例では、薬に関する条件は、「薬のタイプ」、「薬の形状」、「薬の効き方」の３つのカテゴリーに分かれており、ユーザは、カテゴリーごとに予め用意された複数の条件の中から何れか１つを選択することができる。例えば図１０に示すように、「薬のタイプ」に対しては、「新薬」「ジェネリック」「漢方」「健康食品」の４つの条件が予め用意されており、ユーザは、この中から何れか１つの条件を選択することができる。ユーザは、症状の選択、カテゴリーごとの条件の選択を終えると、アンケート画面上の「送信」ボタンを押下することで、その時点でのアンケート画面に対する入力結果をサービス提供サーバ４へ送信することを指示することができる。この例では、アンケート画面に対する入力結果のうち、ユーザによって選択された症状を示す情報が症状特定情報に相当し、ユーザによって選択された条件（カテゴリごとに選択された条件）を示す情報が条件情報に相当する。
【００４０】
図９の説明を続ける。薬情報記憶部４１５は、薬ごとに、該薬に関する情報を示す薬情報を記憶する（薬情報記憶部４１５は複数の薬を記憶していると考えてもよい）。図１１は、ある薬の薬情報の一例を示す図である。図１１の例では、薬情報の項目として、薬名（商品名）、用途、成分、効果・副作用、形状、タイプ、服用時の体温変化、服用時の脈拍変化の８つの項目があり、それぞれに対して、データ（情報）が対応付けられている。図１２は、「服用時の体温変化」という項目に対応付けられるデータの一例を示す図であり、図１３は、「服用時の脈拍変化」という項目に対応付けられるデータの一例を示す図である。
【００４１】
図９の説明を続ける。選択部４１６は、第１の取得部４１４により取得された症状特定情報と条件情報とに基づいて、薬情報記憶部４１５に記憶された薬の中から、ユーザへ推奨する薬を示す推奨薬を選択する。例えば症状特定情報により特定される症状が「風邪・熱」であり、条件情報が示す条件が、薬のタイプは「新薬」、薬の形状は「顆粒」、薬の効き方（副作用）は「ゆっくり効く（副作用は弱い）」である場合を想定する。この場合、まず選択部４１６は、薬情報記憶部４１５に記憶された複数の薬情報の中から、「用途」という項目に対応付けられたデータが「風邪・熱」を示す薬情報を選択する。そして、選択部４１６は、そのようにして選択した薬情報の中から、「形状」という項目に対応付けられたデータが「顆粒」を示し、「タイプ」という項目に対応付けられたデータが「新薬」を示し、かつ、「効果・副作用」という項目に対応付けられたデータが「弱い（症状に対応する効果（この例では解熱効果）が弱く、かつ、副作用も弱い）」を示す薬情報を選択する。このようして選択された薬情報が、推奨薬を特定可能な推奨薬情報となる。選択部４１６によって選択された推奨薬情報は、推奨薬情報送信部４２１によりスマートデバイス２へ送信される。
【００４２】
第２の取得部４１７は、ユーザを識別するユーザ識別情報と、該ユーザが購入した薬を示す購入済み薬情報との組を取得する。この例では、第２の取得部４１７は、レジスター３から上述の読取情報を取得する。第２の取得部４１７は、ユーザ情報記憶部４１２に記憶された顧客ＩＤのうち、レジスター３から取得した読取情報に含まれる顧客ＩＤと一致する顧客ＩＤを特定し、その特定した顧客ＩＤに対して、該読取情報に含まれる商品情報（購入済み薬情報に対応）を紐付けてユーザ情報記憶部４１２に記憶する。この例では、読取情報は、商品が購入された時間を示す時間情報も含んでいる。
【００４３】
第３の取得部４１８は、ユーザの生体情報を取得する。この例では、第３の取得部４１８は、スマートデバイス２から上述の生体紐付情報を取得する。第３の取得部４１８は、スマートデバイス２から生体紐付情報を取得するたびに、ユーザ情報記憶部４１２に記憶された顧客ＩＤのうち該取得した生体紐付情報に含まれる顧客ＩＤを特定し、その特定した顧客ＩＤに対して、該生体紐付情報に含まれる生体情報を紐付けてユーザ情報記憶部４１２に記憶する。この例では、生体情報は、生体情報が測定された時間を示す時間情報も含んでおり、レジスター３から取得した読取情報に含まれる時間情報が示す時間から所定時間が経過するまでの間に取得された各生体情報は、該読取情報に含まれる商品情報（購入済み薬情報）が示す薬を服用した後のユーザの生体情報として該商品情報に紐付けられる（対応付けられる）。
【００４４】
健康状態判断部４１９は、第２の取得部４１７により購入済み薬情報が取得された後、第３の取得部４１８により取得された生体情報に基づいて、ユーザの健康状態が回復したか否かを判断する。第２の取得部４１７により購入済み薬情報が取得されたということは、その後にユーザは、その購入した薬を服用する可能性が高い。そこで、健康状態判断部４１９は、第２の取得部４１７により購入済み薬情報が取得された場合、予め定められた時間（ユーザが薬を購入してから服用するまでの時間を想定）が経過した後に第３の取得部４１８により取得された生体情報に基づいて、ユーザの健康状態が回復したか否かを判断する。
【００４５】
健康状態判断部４１９による判断処理を説明する。上述したように、薬情報記憶部４１５に記憶された各薬情報は、「服用時の体温変化」に対応するデータ（図１２参照）と、「服用時の脈拍変化」に対応するデータ（図１３参照）とを有している。健康状態判断部４１９は、薬情報記憶部４１５に記憶された複数の薬情報の中から、第２の取得部４１７により取得された商品情報に対応する薬情報を選択し、その選択した薬情報に含まれる「服用時の体温変化」に対応するデータ（図１２参照）と、「服用時の脈拍変化」に対応するデータ（図１３参照）とから、健康状態の良否を判定するための境界値を決定する。この例では、図１４に示すように、体温および脈拍のそれぞれの経時的変化を表すデータ（体温は図１２のデータ、脈拍は図１３のデータ）の時間Ｔ１での値が境界値として決定されている。そして、健康状態判断部４１９は、第３の取得部４１８により生体紐付情報が取得されるたびに、その取得された生体紐付情報の生体情報に含まれる体温を示す情報、および、脈拍を示す情報の各々が、境界値に対応する時間以降の値（この例では時間Ｔ１以降の値）を示すか否かを判断し、その判断結果が肯定の場合は、ユーザの健康状態が回復したと判断することができる。
【００４６】
選択制御部４２０は、健康状態判断部４１９によりユーザの健康状態が回復したと判断された場合、薬（ユーザにとっては今回服用した薬）の効き目の度合い、および、副作用の各々について、複数の候補の中からユーザに選択させるための制御を行う。この例では、選択制御部４２０は、健康状態判断部４１９によりユーザの健康状態が回復したと判断された場合、ユーザ情報記憶部４１２に記憶されたユーザのメールアドレスを宛先として、ユーザページのＵＲＬをメールに添付して送信する。メールを受信したスマートデバイス２が、該メールに添付されたＵＲＬにアクセスして認証されると、選択制御部４２０は、図１５に示すようなアンケート画面を生成し、該認証されたスマートデバイス２へ送信する。図１５に例示したアンケート画面は、今回服用した薬の効き目の度合い、および、副作用の各々について、複数の候補の中からユーザに選択させることを促すだけでなく、次回服用したい薬のタイプ、形状、効き方の各々について、複数の候補の中から何れかを選択させる（薬に関する複数の条件の中から何れかを選択させることと同義）ことを促しているが、これに限られるものではない。また、例えば次回服用したい薬のタイプ、形状、効き方の各々に対するデフォルトの候補として、薬を購入する前のアンケート画面（図１０参照）に対する入力結果を反映させてもよい。そして、選択制御部４２０は、スマートデバイス２から、アンケート画面に対する入力結果（以下では「選択結果」と称する場合がある）を受信する。
【００４７】
以上のように、本実施形態では、選択制御部４２０は、健康状態判断部４１９によりユーザの健康状態が回復したと判断された後において認証部４１３によりユーザが認証された場合、少なくとも今回服用した薬の効き目の度合い、および、副作用の各々について、複数の候補の中からユーザに選択させるためのアンケート画面を生成し、該ユーザが利用するスマートデバイス２へ送信し、そのアンケート画面に対する入力結果（選択結果）をスマートデバイス２から受信する。そして、その受信した入力結果を、認証されたユーザの顧客ＩＤに紐付けられた購入済み薬情報および生体情報の履歴に紐付けてユーザ情報記憶部４１２に記憶する。例えば選択制御部４２０は、ユーザの顧客ＩＤに紐付けられた１以上の購入済み薬情報のうち、直近に購入された薬を示す購入済み薬情報（時間情報により判断可能）、および、該購入済み薬情報に紐付く生体情報の履歴に対して、スマートデバイス２から受信した選択結果を紐付けてユーザ情報記憶部４１２に記憶することができる。つまり、この例では、ユーザ情報記憶部４１２は、顧客ＩＤ（ユーザ識別情報）と、選択結果（選択制御部４２０の制御による選択結果）と、ユーザが購入した薬の商品情報（購入済み薬情報）と、生体情報の履歴とを少なくとも対応付けた第１の対応情報を記憶しており、ユーザ情報記憶部４１２は「第１の対応情報記憶部」として機能する。
【００４８】
ここで、上述の選択部４１６による推奨薬の選択方法をより具体的に説明する。第１の取得部４１４により症状特定情報と条件情報が取得された場合、上述したように、まず選択部４１６は、第１の取得部４１４により取得された症状特定情報と条件情報とに基づいて、薬情報記憶部４１５に記憶された薬の中から、ユーザへ推奨する薬を示す推奨薬を選択する。次に、選択部４１６は、ユーザ情報記憶部４１２を参照して、ユーザの顧客ＩＤに対して、購入済み薬情報と選択結果と生体情報の履歴とが対応付けられているか否かを判断する。この判断結果が否定の場合は、そのまま選択処理は終了する。
【００４９】
一方、上記判断結果が肯定の場合、選択部４１６は、上述の第１の対応情報に基づいて、選択した１以上の推奨薬のうち所定条件を満たさない推奨薬を除外する。より具体的には、選択部４１６は、選択した１以上の推奨薬ごとに、該推奨薬は購入済みであるか否かを確認する（認証済みのユーザの顧客ＩＤに対して、該推奨薬の商品情報（購入済み薬情報）が紐付けられているか否かを確認する）。該推奨薬が購入済みでなければ、該推奨薬は除外対象にはならない。該推奨薬が購入済みである場合は、該推奨薬の商品情報（購入済み薬情報）に対応付けられた選択結果および生体情報の履歴に基づいて、該推奨薬が所定条件を満たすか否かを判断する。ここでは、所定条件は、選択結果として、薬の効き目の度合いが基準以上の候補が選択され、かつ、生体情報の履歴から得られる生体情報の経時的変化を表すデータ（「ユーザの測定データ」と称する）と、購入済み薬情報が示す薬に対応して予め定められた生体情報の経時的変化を表すデータ（「製薬会社提供データ」と称する）と、の差が所定範囲内であることである。さらに言えば、ここでの所定条件には、上述の選択結果として、副作用が無いことを示す候補が選択されることも含まれる。
【００５０】
以下、図１６を参照して、ユーザの測定データと製薬会社提供データとの差異が所定範囲内であるか否かを判断する方法の一例を説明する。図１６は、ある薬Ａについて、服用開始してから経過した時間（ｔ１、ｔ２、ｔ３、・・・）ごとの体温の測定値（ａ１、ａ２、ａ３、・・・）を結んだ推移曲線（実線）と、同じ時間（ｔ１、ｔ２、ｔ３、・・・）ごとの、製薬会社が提供する体温の想定（シミュレーション）値（ｂ１、ｂ２、ｂ３、・・・）を結んだ推移曲線（点線）と、を示している。
【００５１】
選択部４１６は、時間ごとに、測定値ａと想定値ｂとの差の自乗を計算する。そして、時間ごとの計算結果を合計する。そして、その合計値を、時間の数（図１６の例では１０）で除算し、除算結果の１／２乗を計算する。この計算結果が、予め定められた閾値以下であれば、ユーザの測定データと製薬会社提供データとの差異が所定範囲内であると判断することができる。
【００５２】
以上に説明したサービス提供サーバ４が有する機能（登録制御部４１１、認証部４１３、第１の取得部４１４、選択部４１６、第２の取得部４１７、第３の取得部４１８、健康状態判断部４１９、選択制御部４２０、推奨薬情報送信部４２１等）は、ＣＰＵ４０１がＨＤＤ４０５等に記憶されたプログラムを実行することにより実現される。また、ユーザ情報記憶部４１２や薬情報記憶部４１５はＨＤＤ４０５等の記憶装置により実現される。
【００５３】
図１７は、本実施形態の推奨薬の選択手順の一例を示す図である。上述の説明と重複する部分については適宜に説明を省略する。まず、ユーザは、スマートデバイス２を使用して、サービス提供サーバ４にアクセスして会員登録を行う（ステップＳ１）。サービス提供サーバ４は、スマートデバイス２から、ユーザの氏名、住所、メールアドレス等のユーザ情報の入力を受け付けると、顧客ＩＤを生成し、その生成した顧客ＩＤと、入力されたユーザ情報とを紐付けてユーザ情報記憶部４１２に登録する（ステップＳ２）。
【００５４】
ドラッグストアの店員は、顧客ＩＤが記憶されたポイントカードを、ユーザの住所宛てに郵送する。上述したように、この郵便の中には、ユーザページのＵＲＬと顧客ＩＤを印刷した紙が同封されている。ユーザはこの郵便を受け取ると、ユーザページのＵＲＬと顧客ＩＤをスマートデバイス２に登録するための操作を行う。これにより、ユーザページのＵＲＬと顧客ＩＤがデータ記憶部１２５に記憶される。その後、体調が悪化したユーザは、スマートデバイス２を利用して、ドラッグストアから通知されたＵＲＬにアクセスし、アンケート画面に対する入力を行う（ステップＳ３）。上述したように、サービス提供サーバ４は、アクセスしてきたスマートデバイス２を認証すると、図１０に示すようなアンケート画面を生成し、その生成したアンケート画面をスマートデバイス２へ送信する。スマートデバイス２はサービス提供サーバ４から受信したアンケート画面をＬＣＤ３５に表示し、ユーザは、ＬＣＤ３５上に表示されたアンケート画面に対する入力操作を行う。スマートデバイス２は、アンケート画面上の「送信」ボタンの押下を受け付けると、そのときのアンケート画面に対する入力結果をサービス提供サーバ４へ送信する。
【００５５】
次に、サービス提供サーバ４は、スマートデバイス２から受信した、アンケート画面に対する入力結果を、認証済みのユーザの顧客ＩＤに紐付けてユーザ情報記憶部４１２に登録する（ステップＳ４）。次に、サービス提供サーバ４は、スマートデバイス２から受信した、アンケート画面に対する入力結果のうち、ユーザによって選択された症状を示す情報（症状特定情報）と、ユーザによって選択された条件を示す情報（条件情報）とに基づいて、推奨薬を選択する（ステップＳ５）。具体的な内容は上述したとおりである。そして、サービス提供サーバ４は、ステップＳ５で選択した推奨薬を特定可能な推奨薬情報をスマートデバイス２へ送信し、スマートデバイス２は、サービス提供サーバ４から受信した推奨薬情報をＬＣＤ３５に表示する（ステップＳ６）。
【００５６】
ユーザは、推奨薬情報を参照して、購入する薬を決めることができる。そして、ドラッグストアへ行って該薬を購入する。この会計時に、ドラッグストアの店員は、バーコードリーダー５９を使用して商品に印刷されたバーコードを読み取る。そして、ユーザが店員にポイントカードを渡すと、店員はポイントカードをレジスター３の磁気カードリーダー／ライター５８にかざす。そうすると、レジスター３は、顧客ＩＤやポイント数を読み取るとともに、商品の価格に応じたポイント数を加算して、この加算されたポイント数をポイントカードに記録する。続いて、レジスター３は、読み取ったバーコードのデータ（薬の商品情報）と顧客ＩＤと日時を示す時間情報とを含む読取情報を、サービス提供サーバ４へ送信する（ステップＳ７）。サービス提供サーバ４は、ユーザ情報記憶部４１２に記憶された顧客ＩＤのうち、レジスター３から受信した読取情報に含まれる顧客ＩＤと一致する顧客ＩＤに対して、該読取情報に含まれる商品情報（購入済み薬情報）と時間情報とを紐付けてユーザ情報記憶部４１２に記憶する（ステップＳ８）。
【００５７】
ユーザは、帰宅後、所定のタイミングで、購入した薬を服用する。ユーザに装着されたウェアラブルデバイス１は、所定の時間間隔でユーザの生体情報（体温、脈拍、血圧等）を測定し（ステップＳ９）、測定した生体情報をスマートデバイス２へ送信する。なお、生体情報は、測定が行われた時間（時刻）を示す時間情報を含んでいる。この例では、生体情報は、体温、脈拍、および、血圧などのカテゴリーごとに、測定データと時間情報とを含んでいる。
【００５８】
スマートデバイス２は、ウェアラブルデバイス１から受信した生体情報と、ユーザの顧客ＩＤとを紐付けた上述の生体紐付情報を、携帯電話回線５とインターネット６を介して、サービス提供サーバ４へ送信する（ステップＳ１０）。サービス提供サーバ４は、ユーザ情報記憶部４１２に記憶された顧客ＩＤのうち、スマートデバイス２から受信した生体紐付情報に含まれる顧客ＩＤと一致する顧客ＩＤに対して、該生体紐付情報に含まれる生体情報と時間情報とを紐付けてユーザ情報記憶部４１２に記憶する（ステップＳ１１）。なお、このとき、スマートデバイス２は、ＨＴＴＰのＳＯＡＰ−ＲＰＣ（Remote  Procedure  Call）の仕組みを使用して、サービス提供サーバ４が提供している生体データ保管サービスをコールするメソッドとともに生体紐付情報を送信する。サービス提供サーバ４は、このメッセージを受信すると、生体データ保管サービスを実行して、受信した生体紐付情報に含まれる生体情報を、ユーザ情報記憶部４１２に記憶された、該生体紐付情報に含まれる顧客ＩＤと一致する顧客ＩＤ、購入済み薬情報、および、ステップＳ４で登録されたアンケート画面に対する入力結果と対応付けてユーザ情報記憶部４１２に記憶する。
【００５９】
次に、サービス提供サーバ４は、ステップＳ１１で生体紐付情報を受信して、ユーザ情報記憶部４１２に記憶する度に、ユーザ情報記憶部４１２に順次に登録された生体情報の履歴に基づいて、ユーザの健康状態が回復したか否かを判断する（ステップＳ１２）。具体的な内容は上述したとおりである。サービス提供サーバ４は、ユーザの健康状態が回復したと判断した場合、ユーザ情報記憶部４１２に記憶されたユーザのメールアドレスを宛先として、ユーザページのＵＲＬをメールに添付して送信する（ステップＳ１３）。
【００６０】
サービス提供サーバ４からのメールを受信したスマートデバイス２は、該メールに添付されたＵＲＬにアクセスし、アンケート画面に対する入力を行う（ステップＳ１４）。上述したように、サービス提供サーバ４は、アクセスしてきたスマートデバイス２を認証すると、図１５に示すようなアンケート画面を生成し、その生成したアンケート画面をスマートデバイス２へ送信する。スマートデバイス２はサービス提供サーバ４から受信したアンケート画面をＬＣＤ３５に表示し、ユーザは、ＬＣＤ３５上に表示されたアンケート画面に対する入力操作を行う。スマートデバイス２は、アンケート画面上の「送信」ボタンの押下を受け付けると、そのときのアンケート画面に対する入力結果をサービス提供サーバ４へ送信する。
【００６１】
次に、サービス提供サーバ４は、スマートデバイス２から受信した入力結果（選択結果）を、認証済みのユーザの顧客ＩＤに紐付けられた、ステップＳ８で受信した読取情報に含まれていた商品情報（購入済み薬情報）およびステップＳ１１で順次に受信した生体紐付情報に含まれていた生体情報の履歴に紐付けてユーザ情報記憶部４１２に記憶する（ステップＳ１５）。
【００６２】
その後、ユーザは、再び体調が悪化して薬の購入を検討する時、スマートデバイス２を使用して、ドラッグストアから通知されたＵＲＬにアクセスし、アンケート画面に対する入力を行う（ステップＳ１６）。この内容は、上述のステップＳ３とほぼ同様であるが、アンケート画面上の薬のタイプ、形状、効き方の各々に対するデフォルトの候補は、ステップＳ１４の入力結果（次回服用したい薬の条件）を反映している。次に、サービス提供サーバ４は、スマートデバイス２から受信した、アンケート画面に対する入力結果（選択結果）を、認証済みのユーザの顧客ＩＤに紐付けてユーザ情報記憶部４１２に登録する（ステップＳ１７）。次に、サービス提供サーバ４は、ユーザ情報記憶部４１２に記憶された情報を用いて、推奨薬を選択する（ステップＳ１８）。具体的な内容は上述したとおりであるが、サービス提供サーバ４は、ステップＳ１７で登録した選択結果（アンケート画面に対する入力結果）のうち、ユーザによって選択された症状を示す情報（症状特定情報）と、ユーザによって選択された条件を示す情報（条件情報）とに基づいて、推奨薬を選択する。そして、サービス提供サーバ４は、上述の第１の対応情報に基づいて、選択した１以上の推奨薬のうち所定条件を満たさない推奨薬を除外する。
【００６３】
そして、サービス提供サーバ４は、ステップＳ１８で選択した推奨薬を特定可能な推奨薬情報をスマートデバイス２へ送信し、スマートデバイス２は、サービス提供サーバ４から受信した推奨薬情報をＬＣＤ３５に表示する（ステップＳ１９）。
【００６４】
図１８は、推奨薬を選択する場合のサービス提供サーバ４の動作例を示すフローチャートである。まず、第１の取得部４１４は、症状特定情報と、条件情報とをスマートデバイス２から取得する（ステップＳ１０１）。上述したように、ここでは、スマートデバイス２から受信した、アンケート画面に対する入力結果のうち、ユーザによって選択された症状を示す情報が症状特定情報に相当し、ユーザによって選択された条件を示す情報が条件情報に相当する。
【００６５】
次に、選択部４１６は、ステップＳ１０１で取得された症状特定情報と条件情報とに基づいて推奨薬を選択（一次選択）する（ステップＳ１０２）。次に、選択部４１６は、ユーザ（認証されたユーザ）の顧客ＩＤに対して、購入済み薬情報と生体情報の履歴が紐付けられているか否かを確認する（ステップＳ１０３）。
【００６６】
ステップＳ１０３の結果が否定の場合（ステップＳ１０３：Ｎｏ）、そのまま処理は終了する。つまり、ステップＳ１０２で選択終了になる。ステップＳ１０３の結果が肯定の場合（ステップＳ１０３：Ｙｅｓ）、ステップＳ１０２で選択した推奨薬ごとに、以下のステップＳ１０４〜ステップＳ１０７の処理を実行する。
【００６７】
ステップＳ１０４では、選択部４１６は、ステップＳ１０２で選択された推奨薬と、顧客ＩＤに紐付けられた購入済み薬情報が示す薬とが一致するか否かを判断する。ステップＳ１０４の結果が否定の場合（ステップＳ１０４：Ｎｏ）、そのまま処理は終了する。つまり、この推奨薬は除外対象にはならない。一方、ステップＳ１０４の結果が肯定の場合（ステップＳ１０４：Ｙｅｓ）、選択部４１６は、該購入済み薬情報に紐付く生体情報の履歴から得られる上述のユーザの測定データと、該購入済み薬情報が示す薬に対応する上述の製薬会社提供データとの差が所定の範囲内であるか否かを判断する（ステップＳ１０５）。
【００６８】
ステップＳ１０５の結果が否定の場合（ステップＳ１０５：Ｎｏ）、選択部４１６は、対応する推奨薬を除外する（ステップＳ１０７）。ステップＳ１０５の結果が肯定の場合（ステップＳ１０５：Ｙｅｓ）、選択部４１６は、推奨薬に対応する購入済み薬情報に紐付けられた選択結果（直前のアンケート画面に対する入力結果）を参照して、薬の効果の選択候補として「良い」または「普通」が選択され（これは、「薬の効き目の度合いが基準以上の候補が選択され」に相当）、かつ、副作用の選択候補として「なし」が選択されているか否かを判断する（ステップＳ１０６）。ステップＳ１０６の結果が肯定の場合（ステップＳ１０６：Ｙｅｓ）、そのまま処理は終了し、該推奨薬は除外対象にはならない。ステップＳ１０６の結果が否定の場合（ステップＳ１０６：Ｎｏ）、選択部４１６は、対応する推奨薬を除外する（ステップＳ１０７）。つまり、ユーザの測定データと製薬会社提供データとの差異が所定範囲内であり、所期の効果を期待できる薬であっても、ユーザが合わないと判断した場合は、そのユーザの意思が優先されて、推奨薬として選択されないことになる。
【００６９】
以上に説明したように、本実施形態では、サービス提供サーバ４は、ユーザの症状を特定可能な症状特定情報と、薬に関する複数の条件のうちユーザによって選択された条件を示す条件情報と、を、アンケート画面に対する入力結果という形でスマートデバイスから取得し、その取得した症状特定情報と条件情報とに基づいて、ユーザへ推奨する薬を示す推奨薬を選択する。これにより、ユーザ（患者）の意思を反映して適切な薬を選定できるという有利な効果を達成できる。
【００７０】
（第２の実施形態）
次に、第２の実施形態について説明する。上述の第１の実施形態と共通する部分については適宜に説明を省略する。本実施形態では、アンケート画面を生成する機能、および、生体情報に基づいてユーザの健康状態を判断する機能がスマートデバイス２側に設けられている点で上述の第１の実施形態と相違する。
【００７１】
図１９は、本実施形態のスマートデバイス２が有する機能の一例を示す図である。図１９に示すように、スマートデバイス２は、健康状態判断部１２６をさらに有する。また、本実施形態の表示制御部１２１は、ユーザの操作に応じてアンケート画面を生成し、その生成したアンケート画面をＬＣＤ３５に表示する機能や、アンケート画面に対する入力結果（選択結果）を受け付ける機能を有している。表示制御部１２１は、ユーザから、アンケート画面に対する入力結果を送信する指示を受け付けた場合（「送信」ボタンが押下された場合）、アンケート画面に対する入力結果の送信を情報送信部１２３へ依頼する。この依頼を受けた情報送信部１２３は、アンケート画面に対する入力結果と、顧客ＩＤとを少なくとも含むアンケート結果情報をサービス提供サーバ４へ送信する。
【００７２】
健康状態判断部１２６は、生体情報受信部１２２により受信された生体情報に基づいて、ユーザの健康状態が回復したか否かを判断する。この判断方法は、上述の第１の実施形態で説明した内容と同様である。本実施形態では、健康状態判断部１２６によりユーザの健康状態が回復したと判断された場合、表示制御部１２１は、図１５に示すようなアンケート画面を生成してＬＣＤ３５に表示する制御を行い、ユーザからの入力を受け付ける。そして、表示制御部１２１は、ユーザから、このアンケート画面に対する入力結果を送信する指示を受け付けた場合、該アンケート画面に対する入力結果の送信を情報送信部１２３へ依頼する。この例では、表示制御部１２１からの依頼を受けた情報送信部１２３は、アンケート画面に対する入力結果および顧客ＩＤに加えて、健康状態判断部１２６による判断に用いられた生体情報の履歴（予め定められた期間にわたる生体情報の履歴）を含むアンケート結果情報を、サービス提供サーバ４へ送信する。その他の機能は、上述の第１の実施形態で説明した内容と同様である。
【００７３】
図２０は、本実施形態のサービス提供サーバ４が有する機能の一例を示す図である。図２０に示すように、サービス提供サーバ４は、上述の第３の取得部４１８、健康状態判断部４１９、選択制御部４２０を有していない。
【００７４】
第１の取得部４１４は、スマートデバイス２から上述のアンケート結果情報を取得（受信）する。第１の取得部４１４は、スマートデバイス２から取得したアンケート結果情報が生体情報の履歴を含んでいる場合、その生体情報の履歴と、該アンケート結果情報に含まれる入力結果（アンケート画面に対する入力結果）とを、アンケート結果情報に含まれる顧客ＩＤに紐付く購入済み薬情報のうち直近の購入済み薬情報に紐付けてユーザ情報記憶部４１２に記憶する。
【００７５】
一方、アンケート結果情報が生体情報の履歴を含んでいない場合、第１の取得部４１４は、アンケート結果情報に含まれる顧客ＩＤに対して、該アンケート結果情報に含まれる入力結果（アンケート画面に対する入力結果）を紐付けてユーザ情報記憶部４１２に記憶する。その他の機能は、上述の第１の実施形態で説明した内容と同様である。
【００７６】
図２１は、本実施形態の推奨薬の選択手順の一例を示す図である。図１７と重複する部分については適宜に説明を省略する。ステップＳ２１およびステップＳ２２の内容は、図１７のステップＳ１およびステップＳ２の内容と同様である。図１７と同様に、スマートデバイス２のユーザは、顧客ＩＤが記憶されたポイントカードと、ユーザページのＵＲＬと顧客ＩＤを印刷した紙とが同封された郵便物を受け取り、ＵＲＬと顧客ＩＤを知ることができる。
【００７７】
ユーザは、スマートデバイス２を利用して、ドラッグストアから通知されたＵＲＬにアクセスし、アンケート画面を生成するためのアプリ（アンケートアプリと称する）をダウンロードする（ステップＳ２３）。ユーザは、所定の操作（例えばアンケートアプリに対応するアイコンを押下する操作等）を行ってアンケートアプリを起動し（ステップＳ２４）、アンケート画面に対する入力を行う（ステップＳ２５）。この例では、アンケートアプリは、ユーザの健康状態の判断が行われていない状態でアンケート画面を表示する指示を受け付けた場合、図１０のアンケート画面を生成し、その生成したアンケート画面に対する入力を受け付ける。アンケートアプリは、アンケート画面上の「送信」ボタンの押下を受け付けると、そのときのアンケート画面に対する入力結果と、顧客ＩＤとを含むアンケート結果情報をサービス提供サーバ４へ送信する。この段階では、ユーザの生体情報の測定が行われていないので、アンケート結果情報には生体情報の履歴は含まれていない。
【００７８】
次に、サービス提供サーバ４は、スマートデバイス２から受信したアンケート結果情報をユーザ情報記憶部４１２に記憶する（ステップＳ２６）。次に、サービス提供サーバ４は、スマートデバイス２から受信したアンケート結果情報に含まれる、アンケート画面に対する入力結果のうち、ユーザによって選択された症状を示す情報（症状特定情報）と、ユーザによって選択された条件を示す情報（条件情報）とに基づいて、推奨薬を選択する（ステップＳ２７）。この具体的な内容は上述の第１の実施形態で説明した内容と同様である。そして、サービス提供サーバ４は、ステップＳ２７で選択した推奨薬を特定可能な推奨薬情報をスマートデバイス２へ送信し、スマートデバイス２は、サービス提供サーバ４から受信した推奨薬情報をＬＣＤ３５に表示する（ステップＳ２８）。
【００７９】
続くステップＳ２９およびステップＳ３０の内容は、図１７のステップＳ７およびステップＳ８の内容と同様である。上述したように、その後、ユーザは、所定のタイミングで購入した薬を服用する。ユーザに装着されたウェアラブルデバイス１は、所定の時間間隔でユーザの生体情報（体温、脈拍、血圧等）を測定し（ステップＳ３１）、測定した生体情報をスマートデバイス２へ送信する。スマートデバイス２は、ウェアラブルデバイス１から順次に受信した生体情報に基づいて、ユーザの健康状態が回復したか否かを判断する（ステップＳ３２）。スマートデバイス２は、ユーザの健康状態が回復したと判断した場合、図１５に示すようなアンケート画面を生成し、該生成したアンケート画面をＬＣＤ３５に表示する。ユーザは、このアンケート画面に対する入力を行う（ステップＳ３３）。スマートデバイス２は、アンケート画面上の「送信」ボタンの押下を受け付けると、そのときのアンケート画面に対する入力結果と、薬を服用した期間にわたる生体情報の履歴（ステップＳ３２の判断に用いられた生体情報の履歴）と、顧客ＩＤとを含むアンケート結果情報を、サービス提供サーバ４へ送信する。
【００８０】
次に、サービス提供サーバ４は、スマートデバイス２から受信したアンケート結果情報に含まれる生体情報の履歴および入力結果（アンケート画面に対する入力結果）を、該顧客ＩＤに紐付く購入済み薬情報のうち直近の購入済み薬情報に紐付けてユーザ情報記憶部４１２に記憶する（ステップＳ３４）。本実施形態でも、上述の第１の実施形態と同様に、ユーザ情報記憶部４１２は上述の第１の対応情報を記憶する。その後、ユーザは、再び体調が悪化して薬の購入を検討する時、スマートデバイス２を操作してアンケートアプリを起動し、アンケート画面に対する入力を行う（ステップＳ３５）。アンケートアプリは、アンケート画面上の「送信」ボタンの押下を受け付けると、そのときのアンケート画面に対する入力結果と、顧客ＩＤとを含むアンケート結果情報をサービス提供サーバ４へ送信する。スマートデバイス２は前回、サービス提供サーバ４へ生体情報を送信（ステップＳ３３）して以降、ウェアラブルデバイス１から生体情報を取得していないため、アンケート結果情報には生体情報の履歴は含まれていない。次に、サービス提供サーバ４は、スマートデバイス２から受信したアンケート結果情報をユーザ情報記憶部４１２に記憶する（ステップＳ３６）。次に、サービス提供サーバ４は、ユーザ情報記憶部４１２に記憶された情報を用いて、推奨薬を選択する（ステップＳ３７）。この内容は図１７のステップＳ１８の内容と同様である。そして、サービス提供サーバ４は、ステップＳ３７で選択した推奨薬を特定可能な推奨薬情報をスマートデバイス２へ送信し、スマートデバイス２は、サービス提供サーバ４から受信した推奨薬情報をＬＣＤ３５に表示する（ステップＳ３８）。
【００８１】
（第３の実施形態）
次に、第３の実施形態について説明する。上述の第１の実施形態と共通する部分については適宜に説明を省略する。基本的な構成は上述の第１の実施形態と同様であるが、ユーザ情報記憶部４１２に記憶された上述の第１の対応情報は、顧客ＩＤと、ユーザが購入した薬の商品情報（購入済み薬情報）とを対応付けた情報でもあり、「第２の対応情報」に対応していると考えることもできる。つまり、ユーザ情報記憶部４１２は、「第２の対応情報記憶部」に対応していると考えることもできる。
【００８２】
サービス提供サーバ４が有する選択部４１６は、薬情報記憶部４１５に記憶された薬のうち、第１の取得部４１４により取得された症状特定情報により特定される症状に対応する複数の薬の各々を推奨薬として選択する。そして、選択部４１６は、認証済みのユーザの顧客ＩＤに紐付く購入済み薬情報のうち、上記のように選択した推奨薬と一致する薬を示す購入済み薬情報（第１の取得部４１４により取得された症状特定情報により特定される症状に対応する購入済み薬情報）、および、第１の取得部４１４により取得された条件情報に基づいて、上記のように選択した複数の推奨薬の各々の優先順位を決定することができる。より具体的には、選択部４１６は、推奨薬の優先順位を決定する場合、症状特定情報により特定される症状に対応する購入済み薬情報、および、条件情報のうち条件情報の重みを高めて推奨薬の優先順位を決定する。
【００８３】
例えば第１の取得部４１４により取得された症状特定情報により特定される症状が「風邪」であり、この症状に対応する薬として、図２２に示す４つの薬（風邪薬Ａ、風邪薬Ｂ、風邪薬Ｃ、風邪薬Ｄ）が推奨薬として選択された場合を想定する。ここでは、ユーザの顧客ＩＤに紐付く購入済み薬情報のうち「風邪」に対応する１以上の購入済み薬情報においては、過去の傾向として、「効果・副作用」という項目に対応付けられたデータは「弱い（効果は弱く、かつ、副作用も弱い）」を示し、「形状」という項目に対応付けられたデータは「顆粒」を示し、「タイプ」という項目に対応付けられたデータは「漢方」を示すものとする。
【００８４】
また、第１の取得部４１４により取得された条件情報が示す条件は、薬のタイプは「新薬」、薬の形状は「カプセル」、薬の効き方（副作用）は「ゆっくり効く（副作用は弱い）」であるとする。この場合、選択部４１６は、推奨薬として選択した４つの薬（図２２）ごとに、各項目に対応付けられたデータが、過去の傾向と一致するかアンケート結果（条件情報が示す条件）と一致するかを判断し、その判断結果に応じて点数を付けていく。この例では、ユーザの意思を優先するという考えから、アンケート結果と一致した場合の点数は「１」、過去の傾向と一致した場合の点数は「０．５」に設定される。また、アンケート結果と一致し、かつ、過去の傾向と一致する場合の点数は、両者の合計の点数である「１．５」であってもよいし、アンケート結果と一致した場合の点数である「１」であってもよい。ここでは、アンケート結果と一致した場合の点数である「１」を採用する場合を例に挙げて説明する。
【００８５】
例えば図２２の風邪薬Ａに着目すると、「効果・副作用」の項目に属する「解熱」という詳細項目に対応付けられたデータは「弱い」を示し、アンケート結果および過去の傾向と一致するので、この項目に対しては点数「１」が付与される。同様に、「効果・副作用」の項目に属する「咳止」という詳細項目に対応付けられたデータは「強い」を示し、アンケート結果と一致せず過去の傾向とも一致しないので、この項目に対しては点数「０」が付与される。同様に、「効果・副作用」の項目に属する「副作用」という詳細項目に対応付けられたデータは「強い」を示し、アンケート結果と一致せず過去の傾向とも一致しないので、この項目に対しては点数「０」が付与される。
【００８６】
また、「形状」という項目に対応付けられたデータは「顆粒」を示し、過去の傾向と一致するので、この項目に対しては点数「０．５」が付与される。また、「タイプ」という項目に対応付けられたデータは「漢方」を示し、過去の傾向と一致するので、この項目に対しては点数「０．５」が付与される。以上より、各項目の点数を合計した風邪薬Ａの点数は、１＋０＋０＋０．５＋０．５＝２となる。同様に、風邪薬Ｂ、Ｃ、Ｄの各々の点数を求めると、風邪薬Ｂの点数は「１」、風邪薬Ｃの点数は「４．５」、風邪薬Ｄの点数は「３」となる。この例では、点数の高い順に優先順位が決定されるので、図２３に示すように、優先順位の高い順に、風邪薬Ｃ（第１位）、風邪薬Ｄ（第２位）、風邪薬Ａ（第３位）、風邪薬Ｂ（第４位）と決定される。
【００８７】
なお、ここでは、アンケート画面として、図１０の例を挙げて説明したが、これに限らず、例えば最初に、複数の症状の中から１以上の症状をユーザに選択させるためのアンケート画面（第１のアンケート画面）をユーザに提示してもよい。そして、第１のアンケート画面に対する入力結果（症状特定情報に相当）を取得し、その取得した入力結果により特定される症状に対応する薬を選択し、その選択した全ての薬の「効果・副作用」の項目に属する詳細項目（解熱効果、咳止効果等）ごとに、複数の条件のうちの何れかを選択させるとともに、「薬のタイプ」および「薬の形状」のカテゴリーごとに、複数の条件の中から何れか１つを選択させるためのアンケート画面（第２のアンケート画面）をユーザに提示し、第２のアンケート画面に対する入力結果（条件情報に相当）を取得する形態であってもよい。つまり、複数の症状の中から１以上の症状をユーザに選択させ、かつ、薬に関する複数の条件の中から１以上の条件をユーザに選択させるためのアンケート画面が、上述の第１のアンケート画面と上述の第２のアンケート画面で構成される形態であってもよい。図２４は、第１のアンケート画面の一例を示す図であり、図２５は、第２のアンケート画面の一例を示す図である。
【００８８】
（第４の実施形態）
次に、第４の実施形態について説明する。上述の第１の実施形態と共通する部分については適宜に説明を省略する。図２６は、第４の実施形態のサービス提供サーバ４が有する機能の一例を示す図である。図２６に示すように、サービス提供サーバ４は、健康状態判断部４１９の代わりに服用判断部４２２を有し、さらに薬情報変更部４２３を有する点で上述の第１の実施形態と相違する。
【００８９】
服用判断部４２２は、第２の取得部４１７により上述の商品読取情報が取得された後、第３の取得部４１８により取得された生体情報に基づいて、ユーザが薬を服用したか否かを判断する。第２の取得部４１７により商品読取情報が取得されたということは、その後にユーザは、その商品読取情報に含まれる商品情報に対応する薬を服用する可能性が高い。そこで、服用判断部４２２は、第２の取得部４１７により商品読取情報が取得された場合、予め定められた時間（ユーザが薬を購入してから服用するまでの時間を想定）が経過した後に第３の取得部４１８により取得された生体情報に基づいて、ユーザが、該商品情報に対応する薬を服用したか否かを判断する。
【００９０】
服用判断部４２２による判断処理を説明する。ここでは、一例として、生体情報に含まれる体温を示す情報を用いて、ユーザが薬を服用したか否かを判断する方法を説明するが、例えば脈拍などの他の情報を用いた判断方法も同様に考えることができる。上述したように、薬情報記憶部４１５に記憶された各薬情報は、「服用時の体温変化」に対応するデータを有している。また、この例では、各薬情報は、「薬を服用していないときの生体情報の変化」に対応するデータも有しており、このデータには、「薬を服用していないときの体温の変化」に対応するデータも含まれている。服用判断部４２２は、薬情報記憶部４１５に記憶された複数の薬情報の中から、第２の取得部４１７により取得された商品読取情報に含まれる商品情報に対応する薬情報を選択し、その選択した薬情報に含まれる「服用時の体温変化」に対応するデータ、および、「薬を服用していないときの体温の変化」に対応するデータを特定する。そして、図２７に示すように、第２の取得部４１７により該商品読取情報が取得された後に第３の取得部４１８により取得された生体情報に含まれる体温を示す情報の経時的変化（実際の体温の変化）を表すデータが、「服用時の体温変化」に対応するデータ、および、「薬を服用していないときの体温の変化」に対応するデータのうちの何れかに近いかを、最小二乗法などを用いて判定する。実際の体温の変化を表すデータが、「服用時の体温変化」に対応するデータの方に近い場合は、ユーザは薬を服用したと判断することができる。
【００９１】
なお、実際の体温の変化を表すデータが、「薬を服用していないときの体温の変化」に対応するデータの方に近い場合であっても、第３の取得部４１８により取得された生体情報に含まれる他の情報の経時的変化を表すデータ（例えば実際の脈拍変化を表すデータなど）が、予め薬情報に含まれている、服用時の該情報の変化に対応するデータの方に近い場合は、ユーザは薬を服用したと判断してもよい。
【００９２】
また、例えば第３の取得部４１８により取得された生体情報の経時的変化を表すデータが、予め薬情報に含まれている、服用時の該生体情報の変化に対応するデータの方に近い場合であっても、両者の差異が所定範囲を超えているような場合は、第３の取得部４１８により取得された生体情報の経時的変化を表すデータを、ユーザ固有のデータ（服用時の該生体情報の変化に対応するデータ）として保存（例えばユーザ情報記憶部４１２内に顧客ＩＤに紐付けて記憶）してもよい。以後、薬情報を参照する場合は、ユーザ固有のデータを優先する。また、以降における薬の服用時に、前回の生体情報の経時的変化（実際の変化）を表すデータと差が出る場合は、実際の生体情報（第３の取得部４１８により取得された生体情報）の経時的変化を表すデータを平均化することで、データ修正を行ってもよい。
【００９３】
本実施形態では、選択制御部４２０は、服用判断部４２２により、ユーザが薬を服用したと判断された後に、薬の効き目の度合い、および、副作用の各々を、複数の候補の中からユーザに選択させるための制御を行う。基本的な内容は上述の第１の実施形態と同様である。例えば選択制御部４２０は、図１５に示すアンケート画面の代わりに、図２８に示すようなアンケート画面を生成してもよい。
【００９４】
薬情報変更部４２３は、選択制御部４２０の制御による選択結果に応じて、購入済み薬情報を変更する。この例では、薬情報変更部４２３は、選択制御部４２０がスマートデバイス２から選択結果（図２８に示すアンケート画面に対する入力結果）を受信した場合、ユーザ情報記憶部４１２から、認証されたユーザの顧客ＩＤに紐付けられた１以上の購入済み薬情報のうち、直近の購入済み薬情報（直近に購入された薬を示す購入済み薬情報）を読み出し、その読み出した購入済み薬情報を選択結果に応じて変更する。例えば図２９に示すように、変更前の購入済み薬情報の「効果・副作用」の項目に属する「解熱」という詳細項目に対応付けられたデータが「弱い」を示し、「咳止」という詳細項目に対応付けられたデータが「強い」を示し、「副作用」という詳細項目に対応付けられたデータが「弱い吐き気」を示す一方、アンケート画面に対する入力結果（選択結果）は、「解熱」の度合いは「弱い」を示し、「咳止」の度合いは「弱い」を示し、「副作用」は「強い吐き気」と「弱い眠気」を示す場合を想定する。この場合、図２９に示すように、薬情報変更部４２３は、アンケート画面に対する入力結果に合わせて、購入済み薬情報の各項目に対応付けられたデータを変更する。
【００９５】
以上のように、この例では、ユーザ情報記憶部４１２において顧客ＩＤに紐付く購入済み薬情報が、アンケート画面に対する入力結果に応じて変更される。ここでは、ユーザ情報記憶部４１２は、薬情報変更部４２３により変更された後の購入済み薬情報を示す変更薬情報と、顧客ＩＤ（ユーザ識別情報）とを対応付けた第３の対応情報を記憶していると考えることができ、ユーザ情報記憶部４１２は第３の対応情報記憶部として機能する。なお、ここでは、薬情報記憶部４１５に記憶された薬情報は変更されない。また、ユーザ情報記憶部４１２とは別に、顧客ＩＤと変更薬情報とを対応付けた第３の対応情報を記憶する記憶部が設けられる形態であっても構わない。
【００９６】
本実施形態では、第１の取得部４１４により上述の症状特定情報と条件情報が取得された場合、選択部４１６は、症状特定情報と条件情報とに基づいて、薬情報記憶部４１５に記憶された薬、および、ユーザ情報記憶部４１２に記憶された変更薬情報（認証されたユーザの顧客ＩＤに紐付く変更薬情報）が示す薬の中から、推奨薬を選択する。ここでは、選択部４１６は、症状特定情報により特定される症状に対応する薬として、薬情報記憶部４１５に記憶された薬と、ユーザ情報記憶部４１２に記憶された変更薬情報が示す薬とが一致する場合は、変更薬情報が示す薬を選択する。
【００９７】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、上述の実施形態に示される全構成要素から幾つかの構成要素を削除してもよい。さらに、異なる実施形態にわたる構成要素を適宜組み合わせてもよい。
【００９８】
例えば図１０のアンケート画面の代わりに、図３０に示すような、希望する薬の効果と副作用をユーザに選択させるためのアンケート画面をユーザに提示し、アンケート画面に対する入力結果（選択結果）に基づいて、推奨薬を選択する形態であってもよい。図３０の例では、効果としては「解熱」と「咳止」が選択され、それぞれの度合いは弱いことが選択されている。また、副作用としては「吐気」と「眠気」が選択され、「吐気」の度合いは強い（強いことを許容するという意味）ことが選択され、「眠気」の度合いは弱いことが選択されている。選択部４１６は、薬情報記憶部４１５に記憶された複数の薬情報の中から、この選択結果に対応する成分を含む薬を、推奨薬として選択することができる。図３０の例では、弱い「解熱」効果を発生させる成分と、弱い「咳止」効果を発生させる成分と、強い「吐気」の副作用を発生させる成分と、弱い「眠気」の副作用を発生させる成分とを含む１以上の薬情報を、薬情報記憶部４１５に記憶された複数の薬情報の中から選択する。なお、この選択の後に、薬のタイプや形状などの他の条件（カテゴリー）ごとに、複数の候補を選択させるためのアンケート画面をユーザに提示し、該アンケート画面に対する入力結果に基づいて、一次選択された推奨薬の中からさらに絞り込み（二次選択）をすることもできる。
【００９９】
また、上述の各実施形態では、図１０のようなアンケート画面に対する入力結果のうち、ユーザによって選択された症状を示す情報が症状特定情報に相当しているが、これに限らず、例えばアンケート画面に対する入力結果とは別に、ウェアラブルデバイス１からスマートデバイス２を経由して送信されてくる生体情報に基づいて、サービス提供サーバ４がユーザの症状を判断する形態であってもよい。この場合、ウェアラブルデバイス１からスマートデバイス２を経由して送信されてくる生体情報が、ユーザの症状を特定可能な症状特定情報に相当する。
【０１００】
また、上述した実施形態の情報処理システム２００に含まれる各装置（ウェアラブルデバイス１、スマートデバイス２、レジスター３、サービス提供サーバ４）で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムをＲＯＭ等の不揮発性の記録媒体に予め組み込んで提供するように構成してもよい。
【符号の説明】
【０１０１】
１      ウェアラブルデバイス
２      スマートデバイス
３      レジスター
４      サービス提供サーバ
５      携帯電話回線
６      インターネット
１１１  生体情報測定部
１１２  生体情報送信部
１２１  表示制御部
１２２  生体情報受信部
１２３  情報送信部
１２４  推奨薬情報受信部
１２５  データ記憶部
１２６  健康状態判断部
１３１  読取部
１３２  読取情報送信部
２００  情報処理システム
４１１  登録制御部
４１２  ユーザ情報記憶部
４１３  認証部
４１４  第１の取得部
４１５  薬情報記憶部
４１６  選択部
４１７  第２の取得部
４１８  第３の取得部
４１９  健康状態判断部
４２０  選択制御部
４２１  推奨薬情報送信部
【先行技術文献】
【特許文献】
【０１０２】
【特許文献１】特開２００２−３４５７５９号公報
【図１】
2017220012.tif 000003
【図２】
2017220012.tif 000004
【図３】
2017220012.tif 000005
【図４】
2017220012.tif 000006
【図５】
2017220012.tif 000007
【図６】
2017220012.tif 000008
【図７】
2017220012.tif 000009
【図８】
2017220012.tif 000010
【図９】
2017220012.tif 000011
【図１０】
2017220012.tif 000012
【図１１】
2017220012.tif 000013
【図１２】
2017220012.tif 000014
【図１３】
2017220012.tif 000015
【図１４】
2017220012.tif 000016
【図１５】
2017220012.tif 000017
【図１６】
2017220012.tif 000018
【図１７】
2017220012.tif 000019
【図１８】
2017220012.tif 000020
【図１９】
2017220012.tif 000021
【図２０】
2017220012.tif 000022
【図２１】
2017220012.tif 000023
【図２２】
2017220012.tif 000024
【図２３】
2017220012.tif 000025
【図２４】
2017220012.tif 000026
【図２５】
2017220012.tif 000027
【図２６】
2017220012.tif 000028
【図２７】
2017220012.tif 000029
【図２８】
2017220012.tif 000030
【図２９】
2017220012.tif 000031
【図３０】
2017220012.tif 000032